(57)【要約】    【課題】学習履歴に着目してマスク領域を絞り込んで学習効果を向上させる。    【解決手段】文書閲覧装置は、記憶部２１０および操作部２２０を含む。この例では、各マスクにマスクＩＤが割り当てられ、これに関連付けて、ページ、ページ中の座標位置、マスクの表示属性、タップ回数が記憶される。マスクの表示属性は上述した「完全に理解済み」、「不安な箇所」、「覚えていない」、「未学習」に対応する「緑」、「黄色」、「赤」、「白」であり、そのコードが記憶される。操作部２２０は文書操作部２２１、マスク操作部２２２、検索部２２３等を含む。マスク操作部２２２は、マスクの形成および正解表示動作を実行するものである。検索部２２３は、マスクの表示属性やタップ回数に基づいてマスクの検索・抽出を行う。【選択図】図５
2012079181.tif 000002
【特許請求の範囲】
【請求項１】
オリジナルデータを記憶するオリジナルデータ記憶手段と、
上記オリジナルデータのうちマスク領域で不透明に被覆する部分を特定するマスク領域特定情報を記憶するマスク領域特定情報記憶手段と、
上記マスク領域の各々の表示属性を指定する表示属性指定手段と、
上記表示属性指定手段で指定された上記マスク領域の各々の表示属性を上記マスク領域に関連付けて記憶するマスク領域表示属性記憶手段と、
上記オリジナルデータ記憶手段、上記マスク領域特定情報記憶手段、および上記表示続性記憶手段を参照して、表示画面に上記オリジナルデータおよび上記マスク領域を表示する表示手段と、
上記表示画面に表示されている上記マスク領域に対する操作の回数を上記マスク領域ごとに保持する記憶手段と、
上記操作の回数に基づいて上記マスク領域を検索する検索手段とを有することを特徴とする文書閲覧装置。
【請求項２】
上記検索手段は上記操作の回数に加えて上記表示属性を検索条件として検索を行う請求項１記載の文書閲覧装置。
【請求項３】
上記表示手段は、上記マスク領域のいずれかが指示手段で指示されたときに、上記オリジナルデータのうち当該マスク領域に不透明に被覆されている部分を表示する請求項１または２のいずれかに記載の文書閲覧装置。
【請求項４】
上記表示手段は、上記マスク領域のいずれかが指示手段で指示されたときに、当該マスク領域の表示属性の選択指示を受け付ける選択ボタンを表示する請求項３記載の文書閲覧装置。
【請求項５】
上記表示手段は、選択された表示属性のマスク領域を透明または半透明にして上記オリジナルデータのうちの当該マスク領域の部分を判読可能に表示する請求項１〜４のいずれかに記載の文書閲覧装置。
【請求項６】
上記オリジナルデータのうち、上記検索手段による検索結果でヒットした上記マスク領域を含む部分を、当該マスク領域を維持したままで切り出す切り出し手段と、
上記切り出し手段で切り出した部分を連結する連結手段とをさらに有し、
上記表示手段は上記切り出し手段が切り出した部分を連結した状態で表示する請求項１〜５のいずれかに記載の文書閲覧装置。
【請求項７】
上記表示手段は、上記マスク領域に関連付けて当該マスク領域に対する操作の回数を表示する請求項１〜６のいずれかに記載の文書閲覧装置。
【請求項８】
コンピュータを、
オリジナルデータを記憶するオリジナルデータ記憶手段、
上記オリジナルデータのうちマスク領域で不透明に被覆する部分を特定するマスク領域特定情報を記憶するマスク領域特定情報記憶手段、
上記マスク領域の各々の表示属性を指定する表示属性指定手段、
上記表示属性指定手段で指定された上記マスク領域の各々の表示属性を上記マスク領域に関連付けて記憶するマスク領域票持続性記憶手段、
上記オリジナルデータ記憶手段、上記マスク領域特定情報記憶手段、および上記票持続性記憶手段を参照して、表示画面に上記オリジナルデータおよび上記マスク領域を表示する表示手段、
上記表示画面に表示されている上記マスク領域に対する操作の回数を上記マスク領域ごとに保持する記憶手段、
上記操作の回数に基づいて上記マスク領域を検索する検索手段
として機能させる文書閲覧用コンピュータプログラム。
【発明の詳細な説明】
【技術分野】
【０００１】
この発明は、文書閲覧技術に関する。
【背景技術】
【０００２】
タブレット型コンピュータ等の電子機器を用いて電子文書（文、図形、画像等の１または複数のコンポーネントを含んでよい）を閲覧することが行われるようになってきている。このような電子機器の普及に伴い、多くの電子書籍等の電子文書が講読または利用可能になってきている。流通している電子文書、例えば教科書や資料を問題集としてそのまま使用できれば学習効果が顕著に向上する。
【０００３】
なお、この発明と関連する先行技術としては特許文献１がある。この先行技術では、表示部に表示されている部分をマスク手段で非表示にして学習に利用することを開示している。
【０００４】
上述の従来技術やその問題点は、この発明の背景の一部を説明するためにのみ説明している。この発明は上述の従来技術や問題点に限定されるものではない点に留意されたい。
【先行技術文献】
【特許文献】
【０００５】
【特許文献１】特開２００６−２９３１８６号公報
【発明の概要】
【発明が解決しようとする課題】
【０００６】
この発明は、以上の事情を考慮してなされたものであり、学習履歴に着目してマスク領域を絞り込んで学習効果を向上させる文書閲覧技術を提供することを目的としている。
【課題を解決するための手段】
【０００７】
この発明によれば、上述の目的を達成するために、特許請求の範囲に記載のとおりの構成を採用している。ここでは、発明を詳細に説明するのに先だって、特許請求の範囲の記載について補充的に説明を行なっておく。
【０００８】
すなわち、この発明の一側面によれば、上述の目的を達成するために、文書閲覧装置に：オリジナルデータ（以下では素材テータとも呼ぶ）を記憶するオリジナルデータ記憶手段と；上記オリジナルデータのうちマスク領域で不透明に被覆する部分を特定するマスク領域特定情報を記憶するマスク領域特定情報記憶手段と；上記マスク領域の各々の表示属性を指定する表示属性指定手段と；上記表示属性指定手段で指定された上記マスク領域の各々の表示属性を上記マスク領域に関連付けて記憶するマスク領域票持続性記憶手段と；上記オリジナルデータ記憶手段、上記マスク領域特定情報記憶手段、および上記表示続性記憶手段を参照して、表示画面に上記オリジナルデータおよび上記マスク領域を表示する表示手段と；上記表示画面に表示されている上記マスク領域に対する操作の回数を上記マスク領域ごとに保持する記憶手段と；上記操作の回数に基づいて上記マスク領域を検索する検索手段とを設けるようにしている。
【０００９】
文書閲覧装置は、タブレット型コンピュータを含むコンピュータ、各種の情報端末、携帯電話機、携帯型ゲーム機、家庭電気製品等として実装可能である。また、サーバコンピュータとクライアントコンピュータ等の複数の装置を組みあわせて文書閲覧装置を構成しても良い。オリジナルデータは表示画面に表示可能なものであればどのようなコンポーネントを含んでもよく、また、どのようなフォーマットでもよい。オリジナルデータはこれに限定されないが例えばアドビシステムズ社のＰＤＦ等のページ記述言語で記述された文書、ＥＰＵＢ等のＸＭＬ準拠の文書、種々のイメージデータである。
【００１０】
この構成においては、操作の回数に基づいて学習履歴に適合した部分を絞り込んで学習できる。
【００１１】
この構成において、上記検索手段は上記操作の回数に加えて上記表示属性を検索条件として検索を行ってよい。表示属性は例えば、白、緑、黄、赤等の色属性であるが、模様や所定の文字列、例えば「完全理解」、「不安」、「覚えていない」、「未履修」等であってもよい。ブランキング周波数等であってもよい。色属性を用いる場合、例えば、白、緑、黄、赤を、「未履修」、「完全理解」、「不安」、「覚えていない」等の学習状態に対応させてよい。
【００１２】
また、上記表示手段は、上記マスク領域のいずれかが指示手段で指示されたときに、上記オリジナルデータのうち当該マスク領域に不透明に被覆されている部分を表示してよい。
【００１３】
また、上記表示手段は、上記マスク領域のいずれかが指示手段で指示されたときに、当該マスク領域の表示属性の選択指示を受け付ける選択ボタンを表示してよい。
【００１４】
また、上記表示手段は、選択された表示属性のマスク領域を透明または半透明にして上記オリジナルデータのうちの当該マスク領域の部分を判読可能に表示してよい。
【００１５】
また、上記オリジナルデータのうち、上記検索手段による検索結果でヒットした上記マスク領域を含む部分を、当該マスク領域を維持したままで切り出す切り出し手段と、上記切り出し手段で切り出した部分を連結する連結手段とをさらに設け、上記表示手段は上記切り出し手段が切り出した部分を連結した状態で表示するようにしてよい。
【００１６】
また上記表示手段は、上記マスク領域に関連付けて当該マスク領域に対する操作の回数を表示してよい。操作の回数はマスク領域内に表示されても良いし、その近傍に表示されてもよい。
【００１７】
なお、この発明は装置またはシステムとして実現できるのみでなく、方法としても実現可能である。また、そのような発明の一部をソフトウェアとして構成することができることはもちろんである。またそのようなソフトウェアをコンピュータに実行させるために用いるコンピュータプログラムもこの発明の技術的な範囲に含まれることも当然である。ここで、コンピュータには、ＣＰＵ、メモリ、入出力装置等を含んで実現される各種電子機器も含まれる。
【００１８】
この発明の上述の側面および他の側面は特許請求の範囲に記載され以下実施例を用いて詳述される。
【発明の効果】
【００１９】
この発明によれば、学習履歴に着目してマスク領域を絞り込んで学習効果を向上させることができる。
【図面の簡単な説明】
【００２０】
【図１】この発明の文書閲覧装置をタブレット型コンピュータで実現した実施例の表示画面の模式的な表示例を示す図である。
【図２】上述の実施例の素材レイヤーおよびマーカーレイヤーを模式的に説明する図である。
【図３】図１の表示画面の種々の操作アイコンの例を説明する図である。
【図４】タブレット型コンピュータのハードウェア構成例を説明するブロック図である。
【図５】この実施例の文書閲覧装置の機能ブロックを説明するブロック図である。
【図６】マスクの座標位置、表示属性、タップ回数を記憶するフォーマット例を説明する図である。
【図７】マスク形成の動作例を説明するフローチャートである。
【図８】表示画面におけるマスクの形成例を説明する図である。
【図９】マスク中のタップ回数の表示例を説明する図である。
【図１０】マスクタップ時の動作例を説明するフローチャートである。
【図１１】マスクタップ時の表示属性のオプションの表示例を説明する図である。
【図１２】検索動作例を説明するフローチャートである。
【図１３】検索条件の設定画面の例を説明するフローチャートである。
【図１４】検索結果の表示例を説明する図である。
【図１５】統計情報の表示例を説明する図である。
【発明を実施するための形態】
【００２１】
以下、この発明の実施例について説明する。
【００２２】
図１は、この発明をタブレット型コンピュータ１００に適用した文書閲覧装置の実施例の外観を示す。この実施例の文書閲覧装置はタブレット型コンピュータ１００上で実行されるソフトウェアとして実現される。もちろん、専用の文書閲覧装置等として実現されても良い。また、この発明の文書閲覧装置は、各種の情報端末、携帯電話機、携帯型ゲーム機、家庭電気製品等として実装可能である。また、サーバコンピュータとクライアントコンピュータ等の複数の装置を組みあわせて文書閲覧装置を構成しても良い。タブレット型コンピュータ１００は、通信ネットワーク３００を介して外部のサーバコンピュータ２００のサービスを利用できる。
【００２３】
図１において、文書閲覧システムが実行されているタブレット型コンピュータ１００は表示画面１０１上に素材データ１０２Ａを表示するとともに、マスク１０２Ｂを表示する。素材データ１０２Ａおよびマスク１０２Ｂの表示は図２に示すように素材レイヤー１０１Ａにマーカーレイヤー１０１Ｂを重ねて構成できるが（レイヤーの合成）、これに限定されない。素材データ１０２Ａのラスター表示上に直接にマスク１０２Ｂを上書きしても良い。表示画面１０１上には、そのほか、各種の操作アイコン１０２Ｃ〜１０２Ｈが表示されている。表示画面１０１上を例えばタッチペンでタップすることにより種々の操作を実行させることができる。素材データが、ページ記述言語やＸＭＬ等で記述されている場合にはラスタライズして表示データを生成する。
【００２４】
操作アイコン１０２Ｃはファイル名の表示部を構成し、図３Ａに示すようにファイル名の表示とともにマーカーペンを模した表示を含む。マーカーペンの表示部分をタップすることによりマーカーレイヤーの表示のオン・オフを切り替えることができる。マーカーレイヤーの表示のオン・オフはマーカーペンの表示部分の表示態様により判別可能である（例えばグレー表示はオフ）。操作アイコン１０２Ｄは複数のマスク１０２Ｂの一括削除（マスク自体の削除）、一括状態リセット（マスクを初期状態にリセット）を操作するものである。複数のマスク１０２Ｂを個々に選択して操作グループとしてまとめて削除したりリセットしてもよい。操作アイコン１０２Ｅはやり直し操作を行うものである。これをタップすることにより直前の操作を取りけすことができる。
【００２５】
操作アイコン１０２Ｆは、マーキングモードのオン・オフを設定するものであり、以下ではマーキングアイコンとも呼ぶ。このアイコンもマーキングペンを模して表示されている。表示アイコンの本体領域をタップすることによりマーキングモードのオン・オフを設定できる。この表示アイコンの表示態様によりマーキングモードのオン・オフを表示できる（例えばグレー表示はオフ）。また、この操作アイコン１０２Ｆのペン先部分をタップすることにより図３Ｂに示すようにマスク１０２Ｂの形成の態様を設定できる。図３Ｂの例では３つの線の太さの指定および自由指定を選択でき。マスク１０２Ｂの形成については図７および図８を参照して後に説明する。
【００２６】
操作アイコン１０２Ｇは検索操作を行うものであり、後述するように、学習履歴回数（タップ回数）やマスクの種類に応じた検索を行える。操作アイコン１０２Ｈは、例えば、マスク１０２Ｂでマスクされた部分について「完全に理解済み」、「不安な箇所」、「覚えていない」、「未学習」の割合をグラフ表示している。このアイコンをタップすると種々の統計情報を取得するモードに移行できる。これについては後に説明する。
【００２７】
図４は、タブレット型コンピュータ１００（図１）のハードウェア構成を模式的に示しており、この図において、タブレット型コンピュータ１００は、ＣＰＵ１０、ＲＡＭ１１、ＲＯＭ１２、タッチパネル１３（位置入力部１４および表示部１５）、音声処理部１６、アンテナを含む無線送受信部１７、マイクロホン／スピーカ１８、バスシステム１９等を含んで構成される。
【００２８】
位置入力部１４は、タッチペンや指等により位置やその変化を入力するものであり、位置入力のイベントに基づいて種々の操作が実行されるようになっている。表示部１５の液晶パネルはテキスト、図形、画像等の表示を行う。ＣＰＵ１０はＲＡＭ（主メモリ）１１とともにオペレーティングシステム等のシステムプログラムやミドルウェアプログラムやアプリケーションプログラム（文書閲覧プログラムを含む）を実行する。ＲＯＭ１２は典型的にはフラッシュメモリであり、ブートプログラム、オペレーティングシステム、ミドルウェアプログラム、アプリケーションプログラム、その他各種データを記憶する。
【００２９】
この例では、タブレット型コンピュータ１００で文書閲覧プログラムを実行させて、図２に示すように、素材レイヤーのコンテンツをマーカーレイヤーのマスクで遮蔽した表示を行うようになっている。
【００３０】
図５は、タブレット型コンピュータ１００において文書閲覧プログラムを実行させて実現した文書閲覧装置の構成を機能ブロックを用いて模式的に示したものである。各機能ブロックは、タブレット型コンピュータ１００のハードウェアと文書閲覧プログラムとを協働させて実現される機能手段である。図５において、文書閲覧装置は、記憶部２１０および操作部２２０を含む。記憶部２１０は典型的には図４のＲＡＭ１１を含んで構成される。操作部２２０はＣＰＵ１０で実行されるサブルーチン等として実現される。
【００３１】
記憶部２１０は、素材データ記憶領域２１１、マスク位置情報記憶領域２１２、マスク表示属性記憶領域２１３、タップ回数記憶領域２１４等を含む。素材データ記憶領域２１１は素材データ、典型的にはポータブルドキュメントフォーマットの文書データあるいはＥＰＵＢのフォーマットの文書データであるが、これに限定されない。素材データは外部サーバコンピュータ２００等から入手可能である。メモリカードを装着し、これに記録された素材データを利用しても良い。マスク位置情報記憶領域２１２、マスク表示属性記憶領域２１３、タップ回数記憶領域２１４は、例えば、図６に示すようなフォーマットで記録される。この例では、各マスクにマスクＩＤが割り当てられ、これに関連付けて、マスクの開始位置、終了位置、マスクの表示属性、タップ回数が記憶される。マスクの開始位置や終了位置は素材データの種類に応じて記述される。ページの概念がある素材データではページ、およびページ中の座標によって定義して良いが、これに限定されない。ページの概念がない素材データの場合には、文字位置により定義できるが、これに限定されない。マスクの表示属性は上述した「完全に理解済み」、「不安な箇所」、「覚えていない」、「未学習」に対応する「緑」、「黄色」、「赤」、「白」であり、そのコードが記憶される。
【００３２】
操作部２２０は文書操作部２２１、マスク操作部２２２、検索部２２３等を含む。操作部２２０は、位置入力部１４からの入力を受け取り、これに基づいて各種処理を行い、表示部１５に表示を行う。文書操作部２２１は、文書の閲覧指定を行うものである。素材データのリストから文書を選択し、さらに、開始オプションで、前回からの続き（しおり）、ブックマーク選択、最初から表示、ランダムページを選択する。開始オプションの選択に際しては、オプション選択ウインドウの背面に前回の終了ページ等をデフォルトで表示するようにしてもよい。
【００３３】
マスク操作部２２２は、マスクの形成および正解表示動作を実行するものである。正解表示動作はマスクにより隠されている部分を表示する動作である。典型的には、マスクの領域を透明または半透明にして良い。吹き出し等でその部分（正解）を表示しても良い。マスク操作部２２２の動作例については後に説明する。検索部２２３は、マスクの表示属性やタップ回数に基づいてマスクの検索・抽出を行うものである。検索部２２３の動作例についても後に説明する。
【００３４】
図７はマスク操作部２２２のマスク形成動作の例を説明するものであり、その動作例は以下のとおりである。
［ステップＳ１１］：マーキングアイコンがタップされたかどうか判別する。タップされたときにはステップＳ１２へ進む。
［ステップＳ１２］：タップ位置はマーキングアイコンのペン先かどうか判定する。ペン先の場合にはステップＳ１３へ進み、ペン先でない場合にはステップＳ１５へ進む。
［ステップＳ１３］：ペン選択オプションを図３Ｂに示すように表示する。
［ステップＳ１４］：ペン先オプションが選択されたときにはマーキングペンのモードをそのオプションに設定する。ペン先オプション以外の空の領域が指定されたときにはマーキングペンのモードはそのままにする。この後、ステップＳ１５へ進む。
［ステップＳ１５］：タッチペンの入力に基づいて現在のマーキングペンのモードでマスクの位置を決定する。例えば、図８に示すように、太さ（高さ）指定のモードの場合には相前後するタップ位置Ｘの間をその高さで塗りつぶすマスクを形成する。自由指定の場合には相前後するタップ位置Ｘを対角点とする矩形を塗りつぶすマスクを形成する。
［ステップＳ１６］：新たにマスクＩＤを採番して、形成されたマスクの対向する対角点の座標をマスク座標として記憶し、また、新規のマスクであるのでマスク表示属性として初期値（白）を設定し、タップ回数をゼロにする。
［ステップＳ１７］：新たなマスクのデータを用いてマスクを表示する。
【００３５】
素材データが画像データ等であり座標位置を直接扱う場合には、マスクの座標位置に基づいてマーカーレイヤーにマスクを描画する。素材データが文字コードで記述される場合には、開始位置の文字および終了位置の文字をタップの位置情報から判別して該当位置に黒のベタ文字をラスターライズしてマーカーレイヤーを描画してよい。上述のとおり、マーカーレイヤーに描画を行わずに表示中の素材データの表示バッファにマスクを上書きしても良い。
【００３６】
なお、初期の表示属性を種々に設定したい場合には表示属性を選択するステップを加えても良い。また、マスクには、図９に示すようにタップ回数をその領域内または近傍に表示しても良い。この例ではタップ回数が３回であることを示す。
【００３７】
図１０はマスクをタップしたときの動作例を示す。この動作例は以下のとおりである。
［ステップＳ２１］：マスクがタップされたかどうかを判別し、タップされたらステップＳ２２に進む。
［ステップＳ２２］：タップされたマスクに隠されている部分（正解）を表示する。例えば、マスクの色を薄くして隠された部分が浮き上がるようにしてもよいし、マスク中に反転白抜きで表示しても良い。
［ステップＳ２３］：表示属性のオプションを例えば図１１に示すように表示する。この例では、「完全に理解済み」、「不安な箇所」、「覚えていない」に「緑」、「黄」、「赤」を対応させて、緑、黄、赤の表示を行い、これらを選択できるようにする。「白」は初期値であるので表示する必要がないが、初期値を選択したい場合には「白」もオプションに含ませて良い。
［ステップＳ２４］：オプションまたはオプション外の領域タップされたかどうかを判別し、オプションが選択された場合にはステップＳ２５へ進み、オプション外が選択された場合にはステップＳ２６へ進む。
［ステップＳ２５］：選択されたオプションに対応するマスク表示属性で、該当するマスク表示属性記憶領域の値を変更する。ステップＳ２６へ進む。
［ステップＳ２６］：マスクを元の非表示に復帰させる。
【００３８】
図１２〜図１４は検索動作例を説明するものである。検索動作は、例えば、図１の検索アイコンをタップすることにより開始される。
【００３９】
図１２は検索動作例を示しており、この動作例は以下のとおりである。なお、この例では、検索条件として、タップ回数および表示属性を採用したが、その他、マスクの形成日時、マスクのタップの最終日時等を採用して良い。この場合、タップの最終日時やマスクの形成日時等のデータを適宜記憶保持する必要がある。
【００４０】
［ステップＳ３１］：検索アイコンがタップされたかどうかを判別し、タップされたらステップＳ３２へ進む。
［ステップＳ３２］：検索条件指定画面を表示する。検索条件指定画面は例えば図１３に示すように表示属性やタップ回数を入力できるようになっている。この図では「緑」、「黄」「赤」、「白」の文字が表示されているが、文字自体はなくてもよい。タップ回数は、例えば、上向きアイコンおよび下向きアイコンをタップして所望の値を入力するが、これに限定されない。タップ回数が指定回数未満、指定回数を超える、指定回数と等しいという条件を、等号、不等号により特定する。検索実行がタップされたらステップＳ３３へ進む。
［ステップＳ３３］：指定された表示属性およびタップ回数に合致するマスクを選択し、そのマスクを含む短冊状の領域を図１４に示すように連結して表示する。短冊状のウインドウ１０１ｗを連結して表示し、これらウインドウに該当する素材データ部分をマスク状態で表示しても良い。
【００４１】
図１４の表示状態でマスクをタップしたときもマスクに隠された部分が表示され、また、図１１の表示属性のオプションも表示されるが、これに限定されない。
【００４２】
なお、出版社等がマスク済みの文書を問題集のような態様で準備しても良い。この場合、既存のマスクに対するユーザの操作をサーバコンピュータで一括管理して、その統計データに基づく検索を行っても良い。例えば、６０％の人が「完全に理解している」部分を検索したり、７０％の人が１回以上タップしている部分を検索したりしても良い。検索結果は図１４に示すように表示して良い。既存のマスクが設定されている文書にユーザが固有のマークを形成して個別に管理しても良い。なお、これに限定されないが、文書がＰＤＦ、ＸＭＬ、ＨＴＭＬ等で記述されている場合には、既存のマスク情報（マスクする箇所の位置やその状態（完璧／不安／間違い）やタップ回数の情報を含むがこれに限定されない）は、文字情報の属性として、データの中に保持するＸＬＭ等のタグ等によりマークして素材データ自体に埋め込んでおいてもよい。この場合、文書においてマスクのタグで指定された部分は、タップに応じて図１１等のオプション選択等の所望の動作を行いさらに表示属性やタップ回数を更新するように、例えば簡易プログラム言語（スクリプト）により記述されても良い。初期状態では表示属性は例えば「白」であり、タップ回数はゼロであるが、タップに応じて選択属性（例えば「緑」、「黄」、「赤」）に更新され、また、タップ回数も増分する。また、この実施例のために専用に準備した閲覧ソフトウェアが、ＰＤＦ、ＸＭＬ、ＨＴＭＬ等の文書に含まれるマスク情報を抽出してマスクを表示し、属性・タップ回数を管理し、閲覧終了時にマスク情報を文書に埋め戻すようにしてもよい。文書に埋め込まれたマスク情報は、そのまま文書の状態で、または文書から抽出して、サーバコンピュータに送出することができ、サーバコンピュータ等で統計情報をして利用可能である。
【００４３】
また、図１の操作アイコン１０２Ｈがタップされたときに図１に示すような統計情報の詳細を表示するようにしてもよい。図１５Ａは、ユーザが各自でマスクした文書の例であり、図１５Ｂはマスク済みの問題集を複数のユーザが用いている場合の例である。図１５Ｂの場合にはネットワークを介してサーバコンピュータにアクセスできるようになっている。
【００４４】
以上で実施例の説明を終了する。
【００４５】
なお、この発明は特許請求の範囲の記載に基づいて決定されるものであり、実施例の具体的な構成、課題、および効果には限定されない。この発明は上述の実施例に限定されるものではなくその趣旨を逸脱しない範囲で種々変更が可能である。上述実施例では、タブレット型コンピュータを用いた例に挙げて説明したが、パーソナルコンピュータ、携帯型ゲーム機、テレビゲーム機、電子辞書、携帯情報機器、電子カメラ、デジタルフォトフレーム、テレビジョン受像機、その他の電子機器にも同様に適用できる。
【００４６】
また、上述の例では、マーカーレイヤーのオン・オフを操作アイコン１０２Ｃをタップして設定できる。上述の例ではとくに説明したかったけれども、マーカーペンと特定下敷き（マーカーペンの色と補色の関係の色）を用いてマーキング部分をマスクする従来の学習方法に模して、マーカーレイヤーをオンにしたときに素材データも淡い色で着色されるようにしても良い。例えば、素材データの背景色を淡い色に変更し、この後にマーカーレイヤーのマスクの領域をマスクの色で上書きするようにしてよい。もちろん、素材データのみの表示（マーカーレイヤーがオフのときの表示）と同じ色のままとしてもよい。
【００４７】
また、マスクで隠した部分がそのまま、透明（枠が属性色で表示、または、マスクの矩形にかえて下線のみを表示し、その下線の色は属性色にする）、半透明、白抜き等で表示されるモードを設定しても良い。このようにすると、正解の確信度を意識しつつ、その回答を読み続けることができ、短い時間で学習することができる。
【符号の説明】
【００４８】
１００      タブレット型コンピュータ
１０１      表示画面
１０１Ａ      素材レイヤー
１０１Ｂ      マーカーレイヤー
１０２Ａ      素材データ
１０２Ｂ      マスク
２００      サーバコンピュータ
２１１      素材データ記憶領域
２１２      マスク位置情報記憶領域
２１３      マスク表示属性記憶領域
２１４      タップ回数記憶領域
２２２      マスク操作部
２２３      検索部
【図１】
2012079181.tif 000003
【図２】
2012079181.tif 000004
【図３】
2012079181.tif 000005
【図４】
2012079181.tif 000006
【図５】
2012079181.tif 000007
【図６】
2012079181.tif 000008
【図７】
2012079181.tif 000009
【図８】
2012079181.tif 000010
【図９】
2012079181.tif 000011
【図１０】
2012079181.tif 000012
【図１１】
2012079181.tif 000013
【図１２】
2012079181.tif 000014
【図１３】
2012079181.tif 000015
【図１４】
2012079181.tif 000016
【図１５】
2012079181.tif 000017